(57)【要約】【課題】  記録装置における、表示器の回動位置を摩擦保持するための押圧力を生じさせる、板ばねの取り付け部の撓みを生じさせないようにして適切な押圧力を生じさせることができるとともに、この保持機構を少ないスペースで実現する。【解決手段】  板ばね２８がパッド２７を介して表示器２２の係合部２２ｂを押圧するとき、板ばね２８を固定するカバー２３ｄは下方に向いた反力を受けるが、係合リブ２ｃがユニット２０の係合リブ２３ｂと当接することにより、上記反力によって操作部ユニット２０のカバー２３ｄが下方に撓むことを防ぐことができる。この結果、撓みによって板ばね２８の押圧力が減じられて、パッド２７と係合リブ２２ｂとの間の摩擦力が減少することを防ぎ、安定した表示器２２の姿勢維持が可能となる。【選択図】  図８
2005053046.tif 000002
【特許請求の範囲】
【請求項１】
記録媒体に記録を行う装置であって、表示器を用いて当該記録装置に関する情報を表示する記録装置において、
弾性部材を取り付けた部材を有し、表示器を回動可能に保持するとともに該回動における位置を前記弾性部材による押圧を用いた摩擦力によって維持する表示器保持手段と、
該表示器保持手段における前記弾性部材または該弾性部材を取り付けた部材の一部と前記弾性部材による押圧力の方向において係合する、当該記録装置に固定された係合部材と、
を具えたことを特徴とする記録装置。
【請求項２】
前記係合部材は、前記弾性部材が当該押圧力を作用させる位置の近傍で前記弾性部材を取り付けた部材の一部と係合することを特徴とする請求項１に記載の記録装置。
【請求項３】
前記係合部材は、前記弾性部材の取り付け部の近傍で前記弾性部材の一部と係合することを特徴とする請求項１に記載の記録装置。
【請求項４】
前記記録装置は、メモリカードのコネクタをさらに具え、メモリカードが保持する画像データを表示器に表示し、選択した画像を記録することを特徴とする請求項１ないし３のいずれかに記載の記録装置。
【請求項５】
記録媒体にインクを吐出して記録を行うことを特徴とする請求項１ないし４のいずれかに記載の記録装置。
【請求項６】
前記弾性部材を取り付けた部材は、操作部筐体であることを特徴とする請求項１ないし５のいずれかに記載の記録装置。
【請求項７】
前記操作部筐体は複数の操作キーを有していることを特徴とする請求項６に記載の記録装置。
【発明の詳細な説明】
【技術分野】
【０００１】
本発明は、回動してその姿勢を変えることができる表示器を操作部に備えた記録装置に関し、詳しくは、表示器の回動位置を摩擦力によって保持するようにした記録装置に関するものである。
【背景技術】
【０００２】
近年、デジタルカメラなどデジタル画像を取り込む機器の普及と、インクジェットプリンタを始めとする種々の方式の記録装置の高画質化によって、一般ユーザーが手軽に写真印刷を行うことができるようになってきている。しかし、多くの場合、デジタルカメラなどで取り込んだ画像を印刷するには、いったんその画像データをコンピュータに読み込み、それをプリンタなどで印刷するための操作が必要となる。このため、ユーザーの中には、この処理が煩わしく感じるものもいる。このような問題を解消できる一構成として、デジタルカメラで撮像した画像のデータを保持したメモリカードをコネクタを介してプリンタに直接接続し、そのメモリカードから画像データを取り込んで印刷するようにしたものが知られている。この構成によれば、コンピュータを使用しなくてもデジタルカメラで撮影した画像をプリンタで印刷できるので、誰でも手軽に写真印刷をすることができる。
【０００３】
このような簡易な構成写真印刷を行うプリンタなどの記録装置では、取り込んだ画像データを取り扱う上でより簡単な操作環境を整えるべく、記録装置にかかわる操作を行うための操作部とともに操作内容にかかわる種々の画像を表示する表示器を備えることが多い。その一例が特許文献１に記載されている。このような表示器を備えることにより、例えば、ユーザーは、メモリカードが保持する画像データを表示する表示器の内容を確認しながら印刷したい画像を選択し、また、印刷枚数を表示画面上で設定しそれを確認することができる。
【０００４】
ところで、表示器の多くは液晶パネルを用いたものであるが、液晶の視野角はある角度で限定されてしまう。このような点から表示器を回動可能としてその姿勢を変えることができるようにしたものがある。この表示器の姿勢を変えその位置を保持するための機構として、いくつかの機構がある。このうち、流体粘性やバネを利用したトルクリミッタを使用する機構は、コストが比較的高くまた大きなスペースをとるため、一般ユーザー用のプリンタなどには採用しにくい。他の機構として、ラチェットを利用したものもあるが、ユーザーによってはその操作音が気になったり、また、姿勢の微調整が難しかったりするといった問題がある。
【０００５】
これに対し、板ばねにパッドを取り付け、板ばねの押圧力によるパッドの摩擦を利用して表示器の姿勢を保持する機構がある。これによれば、表示器を任意の位置で保持することができるとともに、操作音を少なくでき、また、低コストの回動機構とすることができる。
【０００６】
【特許文献１】特開２００３−１０３８８３号公報
【発明の開示】
【発明が解決しようとする課題】
【０００７】
しかしながら、板ばねの取り付け部の組み込み精度が悪い場合には、板ばねの変形量が不安定となり押圧力のばらつきも大きくなる。また、板ばね取り付け部の剛性が低い場合にも板ばね等の姿勢保持機構を装置に組み込んだ際に、保持機構において押圧力を生じさせている摩擦部からの反力で上記取り付け部が撓み、結果として十分な押圧力を生じさせることができないことがある。ここで、表示器を含む操作部が一つのユニットとして構成された記録装置について考えると、板ばねを操作部ユニットではなく記録装置本体側に取付けた場合に、組み込み精度等により板ばねの変形量が不安定になる。また、板ばねを操作部ユニットのケースをなすカバーに取り付けられた場合、このカバーの剛性が十分でないときは、板ばねの押圧力に対する反力でカバーが撓み十分な摩擦力を作用させることができないことがある。
【０００８】
これに対し、操作部カバーなど板ばねの取り付け部の剛性を確保すべく、例えば、カバーの厚みを増したり、カバーの断面形状を大きなものとしたりすることが考慮できる。しかし、この場合には、取り付け部であるカバーを有した操作ユニット自体が大きくなるとともに、ユニットを装着するためのスペースもより大きくなり、装置の大型化を招くなどの問題を派生する。
【０００９】
本発明は、上記の問題を解決するためになされたものであり、その目的とするところは、回動してその姿勢を変えることができる表示器の回動位置を摩擦保持するための保持機構において、摩擦のための押圧力を生じさせる、板ばね等弾性部材の取り付け部の撓みを生じさせないようにして適切な押圧力を生じさせることができるとともに、この保持機構を少ないスペースで実現することができる記録装置を提供することにある。
【課題を解決するための手段】
【００１０】
そのために本発明では、記録媒体に記録を行う装置であって、表示器を用いて当該記録装置に関する情報を表示する記録装置において、弾性部材を取り付けた部材を有し、表示器を回動可能に保持するとともに該回動における位置を前記弾性部材による押圧を用いた摩擦力によって維持する表示器保持手段と、該表示器保持手段における前記弾性部材を取り付けた部材の一部と前記弾性部材による押圧力の方向において係合する、当該記録装置に固定された係合部材と、を具えたことを特徴とする。
【発明の効果】
【００１１】
以上の構成によれば、板ばねなどの弾性部材による押圧を用いた摩擦力によって表示器を回動可能に保持するとともに該回動位置を維持する機構について、上記の弾性部材を取り付けた部材の一部と上記弾性部材による押圧力の方向において係合する、その記録装置に固定された係合部材を具えるので、弾性部材が押圧力を作用して摩擦を生じさせるときその押圧力の反力が弾性部材を取り付けた部材に作用しても、記録装置に固定された係合部材が弾性部材を取り付けた部材の一部と係合してその部材が撓むなどの変形を抑制することができる。これにより、上記部材の変形によって弾性部材の押圧力が適切に作用せず摩擦力が減少するなどの問題を未然に防止できる。
【００１２】
この結果、表示器の姿勢を安定して維持できるとともに、上記係合部材は比較的その設置スペースが小さくてすむため、この表示器保持機構を少ないスペースで実現することが可能となる。
【発明を実施するための最良の形態】
【００１３】
以下、図面を参照して本発明の実施形態を詳細に説明する。なお、以下では、記録装置として、インクジェットプリンタを例にとり説明するが、本発明の適用がこのプリンタに対してのみでないことは以下の説明からも明らかである。本発明は、熱転写方式、電子写真方式などのインクジェト方式以外のプリンタ、また、プリンタ以外の複写機などの記録装置にも適用することができる。
【００１４】
(第１の実施形態)
図１は本発明の一実施形態に係るインクジェットプリンタの構成を示す斜視図であり、同図はこのプリンタをそのケースをなすカバーを取り除いて示している。
【００１５】
図１において、１００は給紙機構を示し、用紙などの記録媒体は、この給紙機構１００によって搬送ローラ１０１とピンチローラ１０２に挟持される位置に給紙され、その後、これら搬送ローラ１０１等によって記録へッドの走査に伴いプラテン１０２上を搬送される。すなわち、イエロー、マゼンタ、シアン、ブラックのインクを吐出するそれぞれの記録ヘッド(不図示)および上記の各インクを貯留したそれぞれのインクタンク１１０を搭載したキャリッジ１０４がガイド軸１０５に沿って走査しながら１ライン分の記録を行い、また、この走査の間に、上記搬送ローラ１０１等による所定量の紙送りを行う。この走査と所定量の紙送りを繰り返すことにより、例えば１頁分の記録を行う。この記録を終了すると、記録媒体は排紙ローラ１０６によって装置外へと排出される。キャリッジ１０４の移動範囲の一端に対応する位置には記録ヘッドの吐出状態を良好に保つための回復処理を行う、キャップ等の回復ユニット１０７が設けられている。
【００１６】
図２は、図１に示したインクジェットプリンタにケースをなす下カバー１と上カバー２を取り付けたプリンタ外観を示す斜視図である。
【００１７】
図２において、下カバー１には、記録後の用紙を積載する排紙トレイ３が構成され、また、上カバー２には給紙される紙を積載する給紙トレイ４が構成されている。また、上カバー２には、アクセスカバー５が開閉可能に構成され、これにより、インク交換や紙ジャム処理の時にこのアクセスカバー５を開けて作業することができる。さらに、上カバー２の上方には、カードスロット（不図示）が設けられ、通常はスロットカバー６で覆われている。すなわち、メモリカードを使用するときは、スロットカバー６を開けメモリーカードをカードスロットに挿入することによって、メモリカードをカードスロット内部に設けられたコネクタと接続する。そしてメモリカードが保持する画像データを取り込み、表示器に表示させ、選択した画像を記録媒体に記録する。
【００１８】
さらに、上カバー２全体において右側の部分には、操作部ユニット２０が設けられている。操作部ユニット２０は、その筐体に複数の操作キー２１のほか、回動してその姿勢を変えることができる表示器２２を備えている。
【００１９】
図３は、操作部ユニット２０を示す斜視図であり、表示器２２が略水平な姿勢にある状態を示している。一方、図４は、操作部ユニット２０について表示器２２が略垂直な姿勢にある状態を示している。
【００２０】
これら図に示すように、操作部ユニット２０はその外形が略操作部カバー２３によって形成される。操作部カバーの一部であるカバー２３ｃは表示器２２に対応して、表示器２２が略水平な姿勢にあるときその両側部を覆う。操作部カバー２３の上面には、複数種類の操作キー２１が設けられている。表示器２２は、その両側部のカバー２３ｃに設けられた支持部によって支持される支軸２２ａの廻りに回動でき、また、その回動位置を保持できるよう構成されている。これにより、表示器２２は、図３に示す略水平位置から図４に示す略垂直位置までの範囲で、任意の姿勢をとることができる。
【００２１】
図５は、操作部ユニット２０を裏側から見た斜視図であり、操作部ユニット２０を装置本体から取り外した状態を示している。
【００２２】
図５において、操作部ユニット２０の裏側は、概略、基板２４と、表示器２２の裏側に対応した操作部カバーであるカバー２３ｄとによってケースが形成されるとともに、基板２４とカバー２３ｄとの間に表示器２２の底部が覗いている。基板２４は操作部カバー２３に５つのビス２９で止められる。基板２４上のコネクタ２５には、表示器２２との間の配線ケーブル２６が接続される。また、基板２４上のコネクタ３２は本体側の配線ケーブルと接続する。表示器２２の裏側に対応した操作部カバー２３ｄ上には、弾性部材としての板ばね２８が取り付けられている。すなわち、板ばね２８は、その一部がカバー２３ｄに設けられた固定部２３ｅに固定され、その固定部から延在する一端を自由端側とした形態のものである。このように、操作ユニット２０の筐体の一部をなすカバー２３ｄは、弾性部材である板ばね２８を取り付ける部材を構成する。板ばねの上記一端側の一部にはパッド(不図示)が設けられている。このパッドはその板ばね２８の弾性力によって、表示器２２の底部をなす円弧状部分に形成された係合部２２ｂに押し当てられる。そして、この押し当てによるパッドと係合部２２ｂとの間の摩擦力によって、表示器２２は、その回動における任意の位置で静止しその姿勢を維持することができる。このように、表示器２２の一部に形成された係合部２２ｂ、これに押圧されるパッド、このパッドを係合部２２ｂに押圧するための弾性部材である板ばね２８、およびこの板ばねを固定する固定部２３ｅを含むカバー２３ｄは、表示器保持手段を構成する。もちろん、表示器保持手段は、このような構成に限られず、例えば、係合部２２ｂが形成された部材に表示器が着脱自在にまたは固定的に取り付けられるような、表示器と表示器保持手段とが別体の構成であってもよい。
【００２３】
カバー２３ｄにおいて以上の板ばね２８が取り付けられた部位の両側には、図７、図８にて後述するように、操作部ユニット２０が装置本体に取り付けられたときにその上カバー２に設けられた係合突起と当接する２つの係合リブ２３ｂが形成されている。
【００２４】
図６は、図３〜図５で説明した操作部ユニット２０を装置本体の上ケース２に取り付けた状態を、略垂直な姿勢にある表示器２２の裏側から見た斜視図である。また、同図には、図５に示したカバー２３ｄの反対側の面が表されている。操作部ユニット２０を装置本体の上カバー２に取付ける際には操作部ユニット２０の下端部に形成された角ボス２３ａ(図５参照)を上カバー２の位置決め穴（不図示）に差し込み、その後、操作部ユニット２０のカバー２３ｄにおける２つの突き当て部２３ｆ(図５参照)やその他の突き当て部を、上ケース２の突きあて部に突き当てた状態で、ビス３０で固定する。
【００２５】
図７は、装置本体側の上ケース２の、上述した操作部ユニット２０の取り付け部を示す斜視図である。
【００２６】
図７において、上述したように取り付け部には操作部ユニット２０の突き当て部と当接する突き当て部２ａが４箇所設けられている。すなわち、取り付け部において、これらの突き当て部２ａは取り付け部において略その外周部に設けられ、また、それ以外の部分は操作部ユニット２０の要素と干渉しないように逃げを形成している。このようにして、操作部ユニット２０は、この突き当て部のみで当接することにより、各部品の製造精度にある程度誤差があっても、取り付けにおいて例えばがたつきを生じないで安定した取り付けが可能となる。
【００２７】
図７に示すように、取り付け部に設けられた穴２ｂを通って本体側の配線ケーブル３１が引き出されており、これが操作部ユニット２０の基板２４上のコネクタ３２に接続する。このように、表示器２２の配線と装置本体側の配線との接続はこのコネクタ３２を介した接続のみを行えばよい。すなわち、前述したように、基板２４と表示器２２との間の配線は操作部ユニット内で完結しているので、表示器２２と操作部とを別々に上カバー２に取付け、かつ別々に配線する形態よりも、大幅に組立性が向上する。
【００２８】
本実施例では、上カバー２の取り付け部において、上述した突き当て部２ａ以外の逃げの部分に係合リブ２ｃを設ける。すなわち、上述したように、操作部ユニット２０の２箇所の係合リブ２３ｂにそれぞれ対応してこれらと係合する２つの係合リブ２ｃを設ける。操作部ユニット２０を取り付けたとき、ユニット２０の板ばね２８はこれらの略中間に位置することになる。このように、係合リブ２ｃは、板ばね２８による押圧力の方向において係合する、固定された係合部材を構成する。
【００２９】
図８は、これらリブ２ｃとユニット２０の係合リブ２３ｂとの係合状態を示す断面図である。この図にも示すように、係合リブ２ｃは板ばね２８のパッドが取り付けられた位置の近傍でユニット２０の係合リブ２３ｂと当接する。すなわち、板ばね２８がパッド２７を介して表示器２２の係合部２２ｂを押圧するとき、板ばね２８を固定するカバー２３ｄは板ばね２８を介しその押圧力による、同図中下方に向いた反力を受ける。この際、係合リブ２ｃがユニット２０の係合リブ２３ｂと当接することにより、上記反力によって操作部ユニット２０のカバー２３ｄが下方に撓むことを防ぐことができる。この結果、撓みによって板ばね２８の押圧力が減じられて、パッド２７と係合リブ２２ｂとの間の摩擦力が減少することを防ぎ、安定した表示器２２の姿勢維持が可能となる。例えば、表示器２２に何らかの振動などが加わった場合、その姿勢が変わってしまうようなことを未然に防止できる。このように、本実施形態によれば、特にカバーの厚みやカバーの断面を大きくするなどの構成をとることなく、取り付け部に係合リブを設けるという、簡易な構成で、表示器２２の姿勢維持のための摩擦力を安定化させることができる。
【００３０】
また、板バネ２８を操作部ユニット２０に設けていることにより、操作部ユニット２０を装置本体から取り外した状態でも、不十分ながらも摩擦力が表示器２２に作用しているので、組立時などに配線処理をする場合やビス止め作業をする場合に、作業の妨げとならない姿勢に表示器２２を保持することができ、組立性を向上させることができる。なお、図８において、３３はカラー液晶ユニットを示している。
【００３１】
(第２の実施形態)
上記第１の実施形態では、上カバー２における係合リブ２ｃを板バネ２８の近傍でカバー２３ｄの係合リブと当接させる構成としたが、図９に示すように、上カバー２において、板バネ２８の弾性変形をしない部分が当接する位置に係合リブ４０を設けるようにしても良い。この構成によっても、カバー２３ｄが反力によって下方に変形することを防止できる。
【図面の簡単な説明】
【００３２】
【図１】本発明の一実施例にかかわるインクジェットプリンタの装置構成を示す斜視図である。
【図２】図１に示したインクジェットプリンタにケースをなす下カバー１と上カバー２を取り付けたプリンタ外観を示す斜視図である。
【図３】図２に示した操作部ユニットの表示器が略水平な姿勢にある状態を示す斜視図である。
【図４】同様に、操作部ユニットについて表示器が略垂直な姿勢にある状態を示す斜視図である。
【図５】上記操作部ユニットを装置本体から取り外した状態を裏側から見た斜視図である。
【図６】図３〜図５に示した操作部ユニットを装置本体の上ケースに取り付けた状態を、略垂直な姿勢にある表示器の裏側から見た斜視図である。
【図７】装置本体側の上ケースの、上記操作部ユニットの取り付け部を示す斜視図である。
【図８】取り付け部における係合リブと操作部ユニットの係合リブとの係合状態を示す断面図である。
【図９】本発明の他の実施形態にかかる、取り付け部における係合リブと操作部ユニットの係合リブとの係合状態を示す断面図である。
【符号の説明】
【００３３】
２    上カバー
２ｃ    係合リブ
２０    操作部ユニット
２２    表示器
２３、２３ｃ、２３ｄ    操作部カバー
２３ｂ    係合リブ
２４    基板
２７    パッド
２８    板バネ
４０    係合リブ
【図１】
2005053046.tif 000003
【図２】
2005053046.tif 000004
【図３】
2005053046.tif 000005
【図４】
2005053046.tif 000006
【図５】
2005053046.tif 000007
【図６】
2005053046.tif 000008
【図７】
2005053046.tif 000009
【図８】
2005053046.tif 000010
【図９】
2005053046.tif 000011